【事件の表示】
　特願２００９−　４０５５３号「駐車場管理システム」拒絶査定不服審判事件〔平成２２年　９月　９日出願公開，特開２０１０−１９８１７２〕について，次のとおり審決する。
【結　論】
　本件審判の請求は，成り立たない。
【理　由】
１．手続の経緯 
　本件に係る出願（以下，「本願」と言う。）は，平成２１年２月２４日の特許出願であって，平成２５年４月２６日付けで通知された拒絶の理由に対して，平成２５年６月２７日付けで意見書及び手続補正書が提出されたが，平成２５年７月２９日付けで拒絶査定がされ（これの送達日は平成２５年８月６日），これに対して，平成２５年１１月５日に本件拒絶査定不服審判が請求されるとともに同日付けの手続補正書が提出されたものである。
　その後，当審より平成２６年６月２日付けで拒絶の理由を通知したところ，平成２６年８月４日付けで意見書及び補正書が提出された。
　
２．本願発明
　本願の請求項１に係る発明は，平成２６年８月４日付け手続補正書により補正された特許請求の範囲及び明細書並びに出願当初の図面の記載から見て，特許請求の範囲の請求項１に記載された事項により特定される次のとおりのものと認める（以下，「本願発明」と言う。）。
「駐車場の入口に設けられ入場する車両を撮影して車番情報を得るための入口側カメラと、
　少なくとも駐車場に設けられた複数の駐車エリアに位置する車両を撮影して車番情報を得るための複数のエリアカメラと、
　駐車場に入場する車両の入場情報を取得する駐車券発行機と、
　前記駐車券発行機から送られる入場情報と前記入口側カメラから送られる車番情報とを記録する管理装置と、
　前記管理装置から送られる入場情報および前記入口側カメラによる車番情報を関連付けて記録するとともに、前記車番情報に基づいて前記エリアカメラによる車番情報を照会し、車番情報が一致する場合に前記エリアカメラの設置位置情報および撮影時間を逐次記録し、最終的に照会された車番情報が得られたエリアカメラの設置位置から駐車エリアを特定して車両の駐車位置を管理する駐車位置管理サーバと、
　前記入場情報または前記車番情報の少なくとも一方に基づいて前記駐車位置管理サーバから入場情報に対応する駐車位置を検索して表示部に表示する駐車位置検索端末と、
　駐車場の出口に設けられ出場する車両を撮影して車番情報を得るための出口側カメラと、を備え、
　精算機による精算完了後に、前記駐車券の駐車券番号と併せて前記車番情報を前記管理装置に送り、前記駐車位置管理サーバは、前記管理装置から前記駐車券の駐車券番号または車番情報が送られた場合に、駐車券番号または車番情報に対応する情報を削除し、
　前記管理装置は、車番情報により認識した車両の利用回数の情報を記録することを特徴とする駐車場管理システム。」　
　
３．刊行物
（１）当審により通知した拒絶の理由に示した特開平１１−１１０６９５号公報（以下「刊行物」と言う。）には，図面と共に次の事項が記載されている。
・「【特許請求の範囲】　
【請求項１】所定の区画内の所定の地点を通過する車両を特定する識別情報を取得し、取得した前記識別情報を送出する車両情報取得手段と、
前記車両情報取得手段が送出した前記識別情報を取得し、該識別情報に基づき、各前記車両が駐車している前記区画内のブロックを判別する駐車ブロック判別手段と、
各前記車両に対応付けられた情報を入力して、当該情報が示す車両が駐車していると前記駐車ブロック判別手段が判別した前記ブロックを示す情報を外部に供給する出力手段とを備える、
ことを特徴とする位置管理システム。
【請求項２】前記区画内に入場するため所定の位置を通過する前記車両を特定する前記識別情報を取得して記憶する入場管理手段と、
前記区画より出場するため所定の位置を通過する前記車両を特定する前記識別情報を取得し、前記入場管理手段が記憶している当該識別情報を消去する出場管理手段とを備える、
ことを特徴とする請求項１に記載の位置管理システム。
【請求項３】前記駐車ブロック判別手段は、
前記入場管理手段より各前記車両の識別情報を取得し、各該識別情報と、各前記車両を最後に特定した前記車両情報取得手段を示す装置情報とを互いに対応付けて記憶する最終検出装置記憶手段と、
各前記装置情報と、各前記装置情報が示す各前記車両情報取得手段により特定された車両が他の前記車両情報取得手段により特定されるまでの間存在し得る前記ブロックを示すブロック情報とを互いに対応付けて記憶するブロック情報記憶手段と、
前記最終検出装置記憶手段及び前記ブロック情報記憶手段が記憶する前記識別情報、前記装置情報及び前記ブロック情報に基づき、各前記車両が駐車している前記区画内のブロックを判別する手段とを備える、
ことを特徴とする請求項２に記載の位置管理システム。
【請求項４】前記入場管理手段は、前記車両が前記区画に入場した入場時刻の情報を取得する手段を備え、
前記出場管理手段は、前記車両が前記区画を出場する出場時刻の情報を取得し、前記識別情報、前記入場時刻及び前記出場時刻の情報に基づいて、前記車両の駐車について課す駐車料金を算出し、算出結果の情報を外部に供給する手段を備える、
ことを特徴とする請求項２又は３に記載の位置管理システム。
【請求項５】前記入場管理手段は、前記識別情報を取得する度に前記車両に対応付けられた情報を含んだ整理券を発行する手段を備え、
前記出力手段は、前記整理券より、前記車両に対応付けられた情報を取得する手段を備える、
ことを特徴とする請求項２、３又は４に記載の位置管理システム。
【請求項６】前記車両情報取得手段は、前記車両の自動車登録番号標の画像を読み取って、前記画像に含まれる前記識別情報を抽出する手段を備える、
ことを特徴とする請求項１乃至５のいずれか１項に記載の位置管理システム。
　・・・・・
【請求項９】
所定の区画内に入場するため所定の位置を通過する車両を特定する識別情報と、前記車両の入場時刻を示す情報とを取得して記憶する入場管理手段と、
前記区画内の所定の地点を通過する車両を特定する識別情報を取得し、該識別情報に基づき、各前記車両が駐車している前記区画内のブロックを判別して、判別結果を示す情報を外部に供給する駐車ブロック判別手段と、
前記区画より出場するため所定の位置を通過する前記車両を特定する前記識別情報と前記車両の出場時刻を示す情報とを取得し、当該識別情報、当該入場時刻を示す情報及び当該出場時刻を示す情報に基づいて、前記車両の駐車について課す駐車料金を算出する課金手段とを備える、
ことを特徴とする位置管理システム。」
・「【０００１】
【発明の属する技術分野】この発明は、位置管理システムに関し、特に車両の位置を把握して駐車場利用者の便宜を図ることを目的とする位置管理システムに関する。」
・「【００１３】
【課題を解決するための手段】上記目的を達成するため、この発明の第１の観点にかかる位置管理システムは、所定の区画内の所定の地点を通過する車両を特定する識別情報を取得し、取得した前記識別情報を送出する車両情報取得手段と、前記車両情報取得手段が送出した前記識別情報を取得し、該識別情報に基づき、各前記車両が駐車している前記区画内のブロックを判別する駐車ブロック判別手段と、各前記車両に対応付けられた情報を入力して、当該情報が示す車両が駐車していると前記駐車ブロック判別手段が判別した前記ブロックを示す情報を外部に供給する出力手段とを備える、ことを特徴とする。
【００１４】このような位置管理システムによれば、各前記車両情報取得手段が、各前記ブロックに駐車している前記車両を特定する情報を与える。このため、このような位置管理システムは、駐車位置等毎に前記車両の検出手段を設置することなく、任意に選択された前記駐車位置等に駐車した前記車両がどの前記ブロックに存在するかを把握する。
【００１５】前記位置管理システムは、前記区画内に入場するため所定の位置を通過する前記車両を特定する前記識別情報を取得して記憶する入場管理手段と、前記区画より出場するため所定の位置を通過する前記車両を特定する前記識別情報を取得し、前記入場管理手段が記憶している当該識別情報を消去する出場管理手段とを備えるものであってもよい。これにより、前記区画内に入場する前記車両、及び前記区画より出場する前記車両が特定され、結果として、前記区画内に存在する前記車両が特定される。
【００１６】前記駐車ブロック判別手段は、例えば、前記入場管理手段より各前記車両の識別情報を取得し、各該識別情報と、各前記車両を最後に特定した前記車両情報取得手段を示す装置情報とを互いに対応付けて記憶する最終検出装置記憶手段と、各前記装置情報と、各前記装置情報が示す各前記車両情報取得手段により特定された車両が他の前記車両情報取得手段により特定されるまでの間存在し得る前記ブロックを示すブロック情報とを互いに対応付けて記憶するブロック情報記憶手段と、前記最終検出装置記憶手段及び前記ブロック情報記憶手段が記憶する前記識別情報、前記装置情報及び前記ブロック情報に基づき、各前記車両が駐車している前記区画内のブロックを判別する手段とを備えることにより、前記車両がどの前記ブロックに存在するかを把握する。
【００１７】前記入場管理手段は、前記車両が前記区画に入場した入場時刻の情報を取得する手段を備え、前記出場管理手段は、前記車両が前記区画を出場する出場時刻の情報を取得し、前記識別情報、前記入場時刻及び前記出場時刻の情報に基づいて、前記車両の駐車について課す駐車料金を算出し、算出結果の情報を外部に供給する手段を備えるものであってもよい。これにより、前記車両が前記区画に入場した時刻及び前記区画を出場する時刻が特定され、更に、前記駐車料金が算出される。
【００１８】前記入場管理手段は、前記識別情報を取得する度に前記車両に対応付けられた情報を含んだ整理券を発行する手段を備え、前記出力手段は、前記整理券より、前記車両に対応付けられた情報を取得する手段を備えるものであってもよい。これにより、前記位置管理システムは、前記整理券の所持者が前記整理券を提示したとき等に、前記車両に対応付けられた情報を記憶する負担を当該整理券の所持者等に課すことなく、前記車両が駐車している前記ブロックを示す情報を、例えば表示画面上に表示することにより、外部に供給する。」　
・「【００２２】また、この発明の第２の観点にかかる位置管理システムは、所定の区画内に入場するため所定の位置を通過する車両を特定する識別情報と、前記車両の入場時刻を示す情報とを取得して記憶する入場管理手段と、前記区画内の所定の地点を通過する車両を特定する識別情報を取得し、該識別情報に基づき、各前記車両が駐車している前記区画内のブロックを判別して、判別結果を示す情報を外部に供給する駐車ブロック判別手段と、・・・・・を備える、ことを特徴とする。
【００２３】このような位置管理システムによれば、駐車位置等毎に前記車両の検出手段を設置することなく、前記駐車ブロック判別手段が、任意に選択された前記駐車位置等に駐車した前記車両がどの前記ブロックに存在するかを把握する。また、前記識別情報、前記入場時刻及び前記出場時刻に基づいて駐車料金が算出される。」
・「【００３６】車両ナンバ検出装置３Ａは、駐車場の入場ゲートに隣接して設置されており、駐車場に入場するために入場ゲートに接近した車両のナンバープレートの画像は、車両ナンバ検出装置３Ａの撮像部３２の視野に入る。車両ナンバ検出装置３Ｂは、駐車場の出場ゲートに隣接して設置されており、駐車場から出場するために出場ゲートに接近した車両のナンバープレートの画像は、車両ナンバ検出装置３Ｂの撮像部３２の視野に入る。
【００３７】車両ナンバ検出装置３Ｃは、図２においてＣ１として示した位置を通過する車両のナンバープレートの画像が、各々が備える撮像部３２の視野に入る位置に設置されている。そして、車両ナンバ検出装置３Ｃにより特定された車両が、その後、当該車両の検出を行ったものと異なる車両ナンバ検出装置により検出されることなく駐車した場合、当該車両はＣ２のブロックに駐車している、という関係がある。」　
・「【００４３】入場車両データ６３は、車両管理装置１の外部記憶部１３に格納され、また制御部１１の指示に従って更新されるデータである。入場車両データ６３は、複数のレコードからなり、各レコードには、駐車場に入場している各車両に付された整理番号と、各車両のナンバープレートに記載されている各車両の登録番号（車両ナンバ）と、各々の車両を最後に特定した車両ナンバ検出装置の装置番号（検出装置番号）とが格納されている。」
・「【００４６】（車両の入場の処理）この駐車場管理システムが起動すると、車両ナンバ検出装置３Ａの制御部３１は、図４に示す処理を実行する。処理が始まると、制御部３１は、撮像部３２の視野内の画像を撮像するよう撮像部３２に指示する（ステップＳ１０１）。指示を入力した撮像部３２は、その指示に従って各々の視野内の画像を撮像し、当該画像を表す画像データを作成して、制御部３１に、作成した画像データを供給する（ステップＳ１０２）。」　
・「【００４８】ステップＳ１０３において、当該文字情報が車両ナンバを表さないと判別されると、制御部３１は、処理をステップＳ１０１において、当該文字情報が車両ナンバを表さないと判別されると、制御部３１は、処理をステップＳ１０１に戻す。車両ナンバを表すと判別されると、制御部３１は、当該文字情報を、入場した車両の車両ナンバの情報として、通信装置２の送信機２１に供給する（ステップＳ１０４）。」　
・「【００５１】一方、車両管理装置１の制御部１１は、この駐車場管理システムが起動すると、図５に示す処理を実行する。処理が始まると、制御部１１は、車両ナンバ検出装置３Ａ〜３Ｌのいずれかより、車両ナンバの情報が供給されるのを待機する（ステップＳ２０１）。」　
・「【００５４】ステップＳ２０３において、制御部１１は外部記憶部１３にアクセスし、入場車両データ６３に格納されている整理番号のうち最大の番号を取得する。次に、制御部１１は、入場車両データ６３の記憶領域の最後尾に新たなレコードを追加する。そして、制御部１１は、追加された当該レコードの先頭に、新たに入場した車両の整理番号として、ステップＳ２０３で取得した整理番号に１を加えた数を書き込み、続いて、ステップＳ２０２において車両管理装置１に供給された車両ナンバの情報を書き込む（ステップＳ２０４）。整理番号及び車両ナンバの書き込みが終わると、制御部１１は、処理をステップＳ２０１に戻す。
【００５５】以上説明したステップＳ１０１〜Ｓ１０８及びステップＳ２０１〜Ｓ２０４の処理により、駐車場に入場する車両の車両ナンバが車両管理装置１に記憶され、当該車両には整理番号が付される。」　
・「【００５９】ステップＳ３０３において、制御部１１は外部記憶部１３にアクセスし、受信機２２より供給された車両ナンバをキーとして入場車両データ６３を検索して、当該車両ナンバを含むレコードを索出する。そして、制御部１１は、ステップＳ３０３で索出されたレコードに含まれる検出装置番号を、受信機２２より最後に供給された装置番号に更新する（ステップＳ３０４）。・・・・・。
【００６０】・・・・・。この結果、駐車場に入場した車両が移動して、その車両のナンバープレートの画像が車両ナンバ検出装置３Ｃ〜３Ｌのいずれかの撮像部３２により撮像される毎に、当該車両を最後に検出した車両ナンバ検出装置を示す検出装置番号が更新され、検出装置番号は、当該車両が現在駐車しているブロックを表す。」　　
・「【００６２】処理を開始すると、制御部１１は、整理番号の入力を促すメッセージを表示部１４に表示させ、入力部１５を用いて整理番号の情報が供給されるのを待機する（ステップＳ４０１）。そして、入力部１５より制御部１１に整理番号の情報が供給されると、制御部１１は、その整理番号をキーとして入場車両データ６３を検索し、当該整理番号が付された車両の検出装置番号を索出する（ステップＳ４０２）。
【００６３】次に、制御部１１は、索出された検出装置番号をキーとして装置データ６４を検索し、当該検出装置番号に対応付けられているブロックを示す情報を索出して（ステップＳ４０３）、表示部１４に、索出されたブロックの情報を表示させる（ステップＳ４０４）。表示部１４に表示されたブロックの情報は、出場の対象の車両の運転者等により視認され、当該車両の駐車位置の把握等に役立てられる。　
【００６４】（車両の出場の処理）また、車両ナンバ検出装置３Ｂの制御部３１は、この駐車場管理システムが起動すると、ステップＳ１０１〜Ｓ１０８と同様の処理を行う。すなわち、車両ナンバ検出装置３Ｂの制御部３１は、車両ナンバ検出装置３Ｂの撮像部３２の視野内に映った車両（つまり、出場するために出場ゲートに接近した車両）のナンバープレートに記されている車両ナンバの情報を取得する。そして、当該車両ナンバの情報と、車両ナンバ検出装置３Ｂを表す装置番号とを、通信装置２を介して、車両管理装置１の制御部１１に送る。
【００６５】一方、受信機２２より車両ナンバ及び装置番号の情報を供給された制御部１１は、上述のステップＳ３０２において、当該車両ナンバの情報が、車両ナンバ検出装置３Ｂから供給されたものであると判別すると、図８に示す車両の出場の処理を実行する。処理が始まると、制御部１１は、外部記憶部１３にアクセスし、受信機２２より供給された車両ナンバをキーとして入場車両データ６３を検索し、当該車両ナンバを含んだレコードを索出する（ステップＳ５０１）。」　
・「【００６７】次に、制御部１１は、出場の確認を表す信号が入力部１５より供給されるのを待機する（ステップＳ５０３）。そして、駐車場の管理者等が入力部１５を操作して出場の確認を表す信号を制御部１１に供給すると、制御部１１は、ステップＳ５０１で索出されたレコードを消去して（ステップＳ５０４）、処理をステップＳ２０１に戻す。以上説明したステップＳ５０１〜Ｓ５０４の処理により、駐車場から出場する車両の車両ナンバ等の情報が消去される。」　
・「【００７２】（第２の実施の形態）以上説明した第１の実施の形態においては、車両の駐車位置は車両管理装置１の表示部１４が表示していた。しかし、車両の駐車位置は、別個の案内装置が表示するようにしてもよい。また、この駐車場管理システムにおいては、車両ナンバ、整理番号及び検出装置番号の他、例えば、入場時刻を記録して、駐車料金の精算等に用いてもよい。以下、車両の駐車位置の情報を提供する案内装置を備え、また駐車場への車両の入場時刻の情報を取得する、この発明の第２の実施の形態にかかる駐車場管理システムを説明する。
【００７３】この駐車場管理システムの物理的構成を図９に示す。図示するように、この駐車場管理システムは、物理的には、第１の実施の形態の物理的構成に加え、駐車位置案内装置４Ａ〜４Ｃと、満車ブロック案内装置５とを備える。また、この駐車場管理システムの車両管理装置１は、第１の実施の形態における構成に加え、更にタイマ１６及び発券機１７を備える。
【００７４】駐車位置案内装置４Ａ〜４Ｃは駐車場内の所定の位置（例えば、図１０に示す位置）に配置される。駐車位置案内装置４Ａ〜４Ｃは互いに実質的に同一の構成を有し、それぞれ、制御部４１と、主記憶部４２と、ＲＯＭ４３と、整理券読取部４４と、表示部４５とを備える。」
・「【００７７】整理券読取部４４は、バーコードリーダ等からなり、整理券に記録されているバーコードを、制御部４１の指示に従って読み取った上で解析し、解析の結果得られた整理番号の情報を、制御部４１に供給する。表示部４５は、ＣＲＴ等からなり、制御部４１の指示に従った文字、図形等を表示する。」
・「【００７９】タイマ１６は、水晶発振器等を備え、現在時刻を表す情報を、制御部１１に連続的に供給する。発券機１７は、プリンタ等を備え、制御部１１の指示に従った文字、図形等を、整理券の券面に印刷し、整理券を発行する。
【００８０】この駐車場管理システムは、図１１に示すように、論理的には、第１の実施の形態における構成に加え、更に、駐車位置案内プログラム６５Ａ〜６５Ｃと、満車ブロック案内プログラム６６と、収容台数データ６７とを備える。また、この駐車場管理システムにおける入場車両データ６３の各レコードには、第１の実施の形態における各データに加え、各々のレコードに含まれる車両ナンバが示す車両が入場した時刻を表す情報が格納される。」
・「【００８４】（車両の入場の処理）この駐車場管理システムが起動した後、車両が入場ゲートに接近し、当該車両のナンバープレートの画像が車両ナンバ検出装置３Ａの撮像部３２の視野内に入ると、車両ナンバ検出装置３Ａ及び車両管理装置１は、図１２に示す処理を実行する。
【００８５】図１２に示す処理において、車両ナンバ検出装置３Ａは、第１の実施の形態におけるステップＳ１０１〜Ｓ１０８と実質的に同一の処理を行う（ステップＳ６０１）。すなわち、車両ナンバ検出装置３Ａは、撮像部３２の視野内に入った車両のナンバープレートの画像を撮像し、車両ナンバを抽出して、送信機２１Ａ及び受信機２２を介し、車両管理装置１の制御部１１に、当該車両ナンバの情報及び自らの装置番号の情報を供給する。
【００８６】一方、車両管理装置１の制御部１１は、この駐車場管理システムが起動すると、第１の実施の形態におけるステップＳ２０１、Ｓ２０２の処理と実質的に同一の処理を行う（ステップＳ６０２）。すなわち、制御部１１は、各車両ナンバ検出装置３Ａ〜３Ｌより車両ナンバの情報を取得し、その車両ナンバの情報が、車両ナンバ検出装置３Ａから供給されたものであるか否かを判別する。
【００８７】ステップＳ６０２において、当該車両ナンバの情報が車両ナンバ検出装置３Ａ以外の車両ナンバ検出装置から供給されたものであると判別されると、制御部１１は、後述する車両位置取得の処理におけるステップＳ８０２に処理を移す。
【００８８】当該車両ナンバの情報が車両ナンバ検出装置３Ａから供給されたものであると判別されると、制御部１１は、タイマ１６より、現在時刻の情報を取得して、当該情報を、入場時刻の情報として主記憶部１２に格納する（ステップＳ６０３）。
【００８９】次いで、制御部１１は、第１の実施の形態におけるステップＳ２０３、２０４と実質的に同一の処理を行うことにより、新たに入場した車両の整理番号及び車両ナンバの情報を入場車両データ６３に追加し、更に、ステップＳ６０３で取得した時刻の情報を、当該車両ナンバの情報に続く位置に書き込む（ステップＳ６０４）。　
【００９０】整理番号、車両ナンバ及び時刻の各情報の書き込みが終わると、制御部１１は、発券機１７に、整理券の発券を指示し、更に整理番号を発券機１７に通知する（ステップＳ６０５）。発券機１７は、制御部１１の指示に従って、当該整理番号を表すバーコードを整理券の券面に印刷し、その整理券を、入場する車両の運転者等に発行する。整理券の発行が終わると、制御部１１は処理をステップＳ６０１に戻す。　
【００９１】以上説明したステップＳ６０１〜Ｓ６０５の処理により、駐車場に入場する車両の車両ナンバが車両管理装置１に記憶されて当該車両に整理番号が付され、更に当該整理番号の情報が記録された整理券が発行される。」
・「【０１０１】（駐車位置取得の処理）この駐車場管理システムが起動した後、入場している車両のナンバープレートの画像が車両ナンバ検出装置３Ｃ〜３Ｌの撮像部３２の視野内に入ると、車両ナンバ検出装置３Ｃ〜３Ｌ及び車両管理装置１は、図１４に示す処理を実行する。　
【０１０２】図１４に示す処理において、車両ナンバ検出装置３Ｃ〜３Ｌの制御部３１は、第１の実施の形態におけるステップＳ３０１と実質的に同一の処理を行うことにより、車両ナンバ及び装置番号の情報を車両管理装置１の制御部１１に供給する（ステップＳ８０１）。　
【０１０３】そして、車両管理装置１の制御部１１は、上述のステップＳ６０２において、車両ナンバ検出装置から供給された車両ナンバの情報が車両ナンバ検出装置３Ａから供給されたものでないと判別されると、当該情報が、車両ナンバ検出装置３Ｂから供給されたものであるか否かを判別する（ステップＳ８０２）。そして、車両ナンバ検出装置３Ｃ〜３Ｌ以外の車両ナンバ検出装置から供給されたものであると判別されると、制御部１１は、後述するステップＳ１００２に処理を移し、車両ナンバ検出装置３Ｃ〜３Ｌのいずれかから供給されたものであると判別されると、処理をステップＳ８０３に移す。　
【０１０４】ステップＳ８０３において、制御部１１は、第１の実施の形態におけるステップＳ２０３、２０４の処理を行うことにより、入場車両データ６３のうち、供給された車両ナンバを含むレコードに格納されている検出装置番号を更新する。そして、制御部１１は、満車ブロック案内装置５の制御部５１に、入場車両データ６３の内容が更新されたことを示す信号を送る（ステップＳ８０４）。　
【０１０５】以下、制御部１１は、車両ナンバ及び装置番号の情報が新たに供給される毎に、ステップＳ７０２、Ｓ８０２〜Ｓ８０４の処理と同一の処理を行って、入場車両データ６３の内容を更新し、入場車両データ６３の内容が更新された旨を満車ブロック案内装置５に通知する。　
【０１０６】（駐車位置案内の処理）　駐車位置案内装置４Ａ〜４Ｃは、この駐車場管理システムが起動すると、図１５に示す処理を実行する。　
【０１０７】処理が始まると、駐車位置案内装置４Ａ〜４Ｃの制御部４１は、整理券が整理券読取部４４にセットされるのを待機する（ステップＳ９０１）。そして、整理券が整理券読取部４４にセットされると、整理券読取部４４は、整理券の券面に印刷されたバーコードを読み取って整理番号を取得し、その整理番号の情報を、制御部４１に供給する（ステップＳ９０２）。【０１０８】整理券読取部４４より整理番号の情報を取得した制御部１１は、車両管理装置１の制御部１１に接続を要求する信号を発し、制御部１１より接続を確認する信号が供給され、接続が確立されると、入場車両データ及び装置データ６４の転送を制御部１１に要求する（ステップＳ９０３）。　
【０１０９】制御部１１が入場車両データ６３及び装置データ６４の転送の要求を受信し、外部記憶部１３より両者を読み出して制御部４１に送信すると、制御部４１は、両者を受信して主記憶部５２に格納する（ステップＳ９０４）。　
【０１１０】次に、制御部４１は、第１の実施の形態のステップＳ４０２〜４０４において車両管理装置１の制御部１１が行った処理と同様の処理を行うことにより、表示部４５に、ステップＳ９０２で取得した整理番号が示す車両のあるブロックの情報を表示させる（ステップＳ９０５）。すなわち、制御部４１は、入場車両データ６３を検索し、ステップＳ９０２で取得した整理番号にあたる車両の検出装置番号を索出し、更に、装置データ６４を検索して、当該検出装置番号に対応付けられているブロックを索出して、表示部４５に、当該ブロックの情報を表示させる。　
【０１１１】（車両の出場の処理）この駐車場管理システムが起動した後、車両が出場ゲートに接近し、当該車両のナンバープレートの画像が車両ナンバ検出装置３Ｂの撮像部３２の視野内に入ると、車両ナンバ検出装置３Ｂ及び車両管理装置１は、図１６に示す処理を実行する。　
【０１１２】図１６に示す処理において、車両ナンバ検出装置３Ｂの制御部３１は、この駐車場管理システムが起動すると、第１の実施の形態における処理と実質的に同一の処理を行う（ステップＳ１００１）。これにより、出場ゲートに接近した車両の車両ナンバ及び装置番号の情報が、制御部３１から、通信装置２を介して、車両管理装置１の制御部１１に供給される。　
【０１１３】一方、制御部１１は、上述のステップＳ８０２において、当該車両ナンバの情報が車両ナンバ検出装置３Ｃ〜３Ｌから供給されたものでないと判別すると、第１の実施の形態におけるステップＳ５０１〜Ｓ５０４の処理を行い、駐車場の管理者等に、車両の出場の確認を促す（ステップＳ１００２）。　
【０１１４】そして、駐車場の管理者等が入力部１５を操作して出場の確認を表す信号を制御部１１に供給すると、制御部１１は、タイマ１６より、現在時刻の情報を取得して、主記憶部１２に格納する（ステップＳ１００３）。　
【０１１５】そして、入場車両データ６３のうち、出場する車両の車両ナンバを含むレコードであるとしてステップＳ１００２で索出されたレコードから、当該車両の入場時刻の情報を読み出し（ステップＳ１００４）、当該入場時刻の情報が示す時刻と、ステップＳ１００３で取得した現在時刻とより、駐車料金を計算する（ステップＳ１００５）。例えば、駐車料金が、駐車時間１時間まで毎に５００円である場合、制御部１１は、現在時刻から入場時刻を差し引いた値（単位は「時」とする）を求め、更に、求めた値のうち１時間未満の部分を切り上げ、５００を乗じることにより、駐車料金を計算する。　
【０１１６】駐車料金が計算されると、制御部１１は、当該駐車料金の情報と、料金の領収の確認を促すメッセージとを表示するよう表示部１４に指示し、表示部１４は、指示に従って、当該駐車料金と、領収の確認を促すメッセージとを表示する（ステップＳ１００６）。　
【０１１７】次に、制御部１１は、領収の確認を表す信号が入力部１５より供給されるのを待機し、駐車場の管理者等が入力部１５を操作して領収の確認を表す信号を制御部１１に供給すると、ステップＳ１００２で索出されたレコードを消去し（ステップＳ１００７）、処理をステップＳ６０２に戻す。」　
・「【０１２４】また、入場車両データ６３の検出装置番号の情報が更新される際、従前の情報が消去される必要はなく、例えば、過去に更新された各検出装置番号が、各々が記録された時刻の情報と対応付けられた上ですべて外部記憶部１３に記憶されるようにしてもよい。この場合、駐車位置案内装置４Ａ〜４Ｃは、各車両の現在の駐車位置に限らず、例えば、過去の任意の時刻における各車両の駐車位置を表示して、盗難車の盗難時刻の特定などに利用してもよい。」
（２）請求項９に係る位置管理システムは，段落【００２２】で“第２の観点”として説明されているものであり，また，その実施の形態は，段落【００７２】以降で図９等を伴って説明される【発明の実施の形態】の「第２の実施の形態」であると理解できる。　
　そこで，請求項９の記載及び「第２の実施の形態」を中心に上記記載事項を読むと，以下の事項が把握できる。　
ア．請求項９で言う車両を特定するための「識別情報」とは，「第２の実施の形態」では「車両ナンバ」であること。
イ．駐車場の入場ゲートに隣接して車両ナンバ検出装置３Ａが設置されており，当該車両ナンバ検出装置３Ａにより車両のナンバープレートを撮像して車両ナンバを検出すること。
ウ．車両ナンバを得るための複数の車両ナンバ検出装置３Ｃ〜３Ｌが備えられており，それらは，特定の車両ナンバについて最後に供給された装置番号が入場車両データ６３の当該車両ナンバが格納された領域に続く位置に書き込まれ，その装置番号から駐車しているブロックが判別されるものであることから，複数の駐車ブロックに位置する車両を撮影するものであること。
エ．請求項９の「入場管理手段」に関し，車両ナンバ検出装置３Ａにより入場する車両の車両ナンバが検出されると，当該車両ナンバ，整理番号，入場時刻を関連付けて記録すること。
オ．発券機１７に整理番号が通知され，整理券が発行されること。
カ．請求項９の「駐車ブロック判別手段」に関し，車両ナンバ検出装置３Ｃ〜３Ｌにより区画内の所定の地点を通過する車両の車両ナンバを取得し，車両ナンバに基づき，最後に得られた車両ナンバ検出装置３Ｃ〜３Ｌの装置番号から各車両が駐車している区画内のブロックを判別すること。　　
キ．段落【０１２４】の記載事項を踏まえると，上記「カ．」の判別に際して，車両ナンバが得られた車両ナンバ検出装置３Ｃ〜３Ｌの装置番号および記録時間を逐次記録すること。
ク．駐車位置案内装置４Ａ〜４Ｃが備えられており，それらは，整理券読取部４４を用いて整理番号の情報が供給されると，当該整理番号が付された車両の検出装置番号を索出し，対応する駐車ブロックの情報を表示部１４に表示させること。
ケ．駐車場の出場ゲートに隣接して車両ナンバ検出装置３Ｂが設置されており，それは，駐車場から出場するために出場ゲートに接近した車両のナンバープレートを撮像すること。
コ．請求項９の「課金手段」を踏まえて駐車料金の領収の確認をすると，その確認信号が供給されて，駐車場から出場する車両の車両ナンバ等の情報を消去すること。　　
（３）以上を踏まえ，本願発明の表現にならって整理すると，刊行物には次の事項からなる発明が記載されていると認めることができる（以下「引用発明」と言う。）。　
「駐車場の入場ゲートに隣接して設置され，車両のナンバープレートを撮像して車両ナンバを検出するための車両ナンバ検出装置３Ａと，　
　駐車場に設けられた複数の駐車ブロックに位置する車両を撮影して車両ナンバを検出するための複数の車両ナンバ検出装置３Ｃ〜３Ｌと，
　整理番号，入場時刻と前記車両ナンバ検出装置３Ａから送られる車両ナンバとを関連付けて記憶する入場管理手段と，
　整理番号が通知されて整理券を発行する発券機１７と，　
　車両ナンバ検出装置３Ｃ〜３Ｌにより区画内の所定の地点を通過する車両の車両ナンバを取得し，車両ナンバに基づき車両ナンバ検出装置３Ｃ〜３Ｌの装置番号および記録時間を逐次記録し，最後に得られた車両ナンバ検出装置３Ｃ〜３Ｌの装置番号から車両が駐車している駐車ブロックを判別する駐車ブロック判別手段と，　
　整理券読取部４４を用いて整理番号の情報が供給されると，当該整理番号が付された車両の検出装置番号を索出し，対応する駐車ブロックの情報を表示部１４に表示する駐車位置案内装置４Ａ〜４Ｃと，
　駐車場の出場ゲートに隣接して設置されて，駐車場から出場するために出場ゲートに接近した車両のナンバープレートを撮像する車両ナンバ検出装置３Ｂと，　
を備え，　
　駐車場から出場する車両の車両ナンバと当該車両の出場時刻を取得し，当該車両ナンバ，入場時刻及び出場時刻に基づいて当該車両の駐車について課す駐車料金を算出する課金手段を備え，
　駐車料金の領収の確認をすると，その確認信号が供給されて，駐車場から出場する車両の車両ナンバ等の情報を消去する駐車場管理システム。」
　　
４．対比
　本願発明と引用発明とを対比する。
（１）引用発明の「駐車場の入場ゲートに隣接して設置され」る態様は本願発明の「駐車場の入口に設けられ」る態様に相当し，以下同様に，「車両ナンバ」は「車番情報」に，「車両のナンバープレートを撮像して車両ナンバを検出する」態様は「車両を撮影して車番情報を得る」態様に，「車両ナンバ検出装置３Ａ」は「入口側カメラ」に，「駐車ブロック」は「駐車エリア」に，それぞれ相当する。　
（２）引用発明の「複数の車両ナンバ検出装置３Ｃ〜３Ｌ」は，本願発明の「複数のエリアカメラ」に相当する。
（３）本願発明の「入場情報」は，本願明細書の段落【００２５】によれば「当該駐車場１を識別するコード、駐車券の１枚ごとに異なる駐車券番号および入場日時などで構成される入場情報」であり，また，引用発明の「整理番号」は，「駐車券番号」に相当するものであるから，結局，引用発明における「整理番号」は本願発明の「入場情報」に相当する。また，引用発明における「入場時刻」も本願発明の「入場情報」に相当する。　
（４）引用発明の「整理券」は，本願発明で言う「駐車券」に相当するから，引用発明の「発券機１７」は，本願発明の「駐車券発行機」に相当する。
（５）引用発明における「入場管理手段」が備える「整理番号，入場時刻と車両ナンバ検出装置３Ａから送られる入場した車両の車両ナンバとを関連づけて記憶する」機能は，本願発明の「管理装置」が備える「前記駐車券発行機から送られる入場情報と前記入口側カメラから送られる車番情報とを記録する」機能と，「入場情報と前記入口側カメラから送られる車番情報とを記録する」点で共通するから，引用発明の「入場管理手段」と本願発明の「管理装置」は，「入場情報と前記入口側カメラから送られる車番情報とを記録する管理装置」である限りで共通する。
（６）引用発明の「駐車ブロック判別手段」は，既に「入場管理手段」で関連づけて記録された整理番号，入場時刻と車両ナンバ検出装置３Ａによる車両ナンバについて，車両ナンバ検出装置３Ｃ〜３Ｌにより得られた車両ナンバを照会して，車両ナンバが一致する場合に当該車両ナンバ検出装置３Ｃ〜３Ｌの装置番号および記録時間を逐次記録していき，最後に得られた車両ナンバ検出装置３Ｃ〜３Ｌの装置番号から車両が駐車している駐車ブロックを判別するものと解することができる。ここで，引用発明の「装置番号」は，本願発明で言う「駐車位置」を意味するものでもある。　　
　そうすると，引用発明の「車両ナンバ検出装置３Ｃ〜３Ｌにより区画内の所定の地点を通過する車両の車両ナンバを取得し，車両ナンバに基づき車両ナンバ検出装置３Ｃ〜３Ｌの装置番号および記録時間を逐次記録し，最後に得られた車両ナンバ検出装置３Ｃ〜３Ｌの装置番号から車両が駐車している駐車ブロックを判別する駐車ブロック判別手段」は，本願発明の「前記管理装置から送られる入場情報および前記入口側カメラによる車番情報を関連付けて記録するとともに、前記車番情報に基づいて前記エリアカメラによる車番情報を照会し、車番情報が一致する場合に前記エリアカメラの設置位置情報および撮影時間を逐次記録し、最終的に照会された車番情報が得られたエリアカメラの設置位置から駐車エリアを特定して車両の駐車位置を管理する駐車位置管理サーバ」に相当する。
（７）引用発明の「整理券読取部４４を用いて整理番号の情報が供給されると，当該整理番号が付された車両の検出装置番号を索出し，対応する駐車ブロックの情報を表示部４５に表示させる駐車位置案内装置４Ａ〜４Ｃ」は，本願発明の「前記入場情報または前記車番情報の少なくとも一方に基づいて前記駐車位置管理サーバから入場情報に対応する駐車位置を検索して表示部に表示する駐車位置検索端末」に相当する。
（８）引用発明の「駐車場の出場ゲートに隣接して設置されて，駐車場から出場するために出場ゲートに接近した車両のナンバープレートを撮像する車両ナンバ検出装置３Ｂ」は，本願発明の「駐車場の出口に設けられ出場する車両を撮影して車番情報を得るための出口側カメラ」に相当する。　
（９）引用発明の「課金手段」及びそれをふまえた「駐車料金の領収」は，本願発明の「精算」に相当し，引用発明の「駐車料金の領収を確認をすると，」は，本願発明の「精算完了後に，」に相当する。。
　引用発明の「駐車場から出場する車両の車両ナンバ等の情報を消去」する態様は，入場管理手段に記録された情報を照会しつつ駐車ブロック判別手段における当該車両に関する情報を消去することを内容に含むと解せるから，本願発明の「駐車券番号または車番情報に対応する情報を削除」する態様に相当する。
（１０）以上を踏まえると，両者の一致点及び相違点は，次のとおりである。
［一致点］
「駐車場の入口に設けられ入場する車両を撮影して車番情報を得るための入口側カメラと，
　少なくとも駐車場に設けられた複数の駐車エリアに位置する車両を撮影して車番情報を得るための複数のエリアカメラと，　
　駐車券発行機と，
　駐車場に入場する車両の入場情報と前記入口側カメラから送られる車番情報とを記録する管理装置と，
　前記管理装置から送られる入場情報および前記入口側カメラによる車番情報を関連付けて記録するとともに，前記車番情報に基づいて前記エリアカメラによる車番情報を照会し，車番情報が一致する場合に前記エリアカメラの設置位置情報を逐次記録し，最終的に照会された車番情報が得られたエリアカメラの設置位置から駐車エリアを特定して車両の駐車位置を管理する駐車位置管理サーバと，
　前記入場情報または前記車番情報の少なくとも一方に基づいて前記駐車位置管理サーバから入場情報に対応する駐車位置を検索して表示部に表示する駐車位置検索端末と，
　駐車場の出口に設けられ出場する車両を撮影して車番情報を得るための出口側カメラと，を備え，
　精算完了後に，駐車券番号または車番情報に対応する情報を削除する駐車場管理システム。」　
［相違点１］
　駐車場に入場する車両の入場情報に関し，本願発明では駐車券発行機で取得され，管理装置に送られるものとされているのに対し，引用発明では，管理装置（入場管理手段）で取得されるものである点。
［相違点２］
　精算が，本願発明では「精算機」によるものと特定されているのに対し，引用発明はそのようなものではない点。
［相違点３］
　精算完了後の駐車券番号または車番情報に対応する情報の削除という処理に関し，本願発明では「前記駐車券の駐車券番号と併せて前記車番情報を前記管理装置に送り，前記駐車位置管理サーバは、前記管理装置から前記駐車券の駐車券番号または車番情報が送られた場合」とされているのに対し，引用発明ではそのように特定されるものではない点。
［相違点４］
　本願発明では，管理装置は「車番情報により認識した車両の利用回数の情報を記録する」機能を有するのに対し，引用発明はそのような機能を備えていない点。　　
　
５．相違点についての判断
（１）相違点１について　
　駐車場管理システムとして，駐車券発行機自体で整理券番号あるいは駐車券番号と言った車両の入場情報を取得することは，普通に行われており，引用発明において，相違点１に係る本願発明の発明特定事項を採用すること自体に，当業者にとっての格別の創意工夫は見いだせない。　　
（２）相違点２について　
　駐車場管理システムとして，精算機を用いて精算を行うこともまた，普通に行われており，引用発明において，相違点２に係る本願発明の発明特定事項を採用することにも，当業者にとっての格別の創意工夫は見いだせない。
（３）相違点３について　
　引用発明の精算は，車両ナンバ検出装置３Ｂが検出した車両ナンバをふまえ，管理装置（入場管理手段）に記録される入場時刻を読み出すといった作業に基づいて実施されるものである。また，引用発明は，精算の後は，駐車位置の判別に必要とされる車両の情報を削除するものである。
　そうすると，引用発明の「確認信号が供給されて，駐車場から出場する車両の車両ナンバ等の情報を消去」する態様について，管理装置（入場管理手段）に駐車券の駐車券番号と車番情報を送ること，管理装置（入場管理手段）から駐車位置管理サーバ（駐車ブロック判別手段）へ駐車券の駐車券番号または車番情報を送ることも，当業者がシステムの設計上適宜なし得た範囲内の事項である。
　引用発明において，相違点３に係る本願発明の発明特定事項を採用することは，当業者が通常の創作能力を発揮してなし得た域を出ることではない。（４）相違点４について　　　
　商取引一般において，利用者に対し利用回数に応じた特典を与えることが良く知られている。
　駐車場管理システムにおいても，特典としてクーポンを発行する等の目的のために，駐車場の利用回数を記録しておくことは，周知の技術的事項である（例えば，特開２００３−３０７４４号公報（請求項１，４，段落【００７７】等には，駐車中の車両のナンバープレートを撮影して顧客情報を作成し，利用回数に応じた特典を与えることが記載されている。），特開２００２−２９８９２７号公報（請求項８等には，駐車場の利用回数に応じたキャッシュバック金額を求めることが記載されている。），特開２００２−２１６１８７号公報（図６とその説明によれば，駐車場の利用回数に応じたポイントを計算することが把握される。），特開２００１−２２２７４２号公報（要約の欄を見れば，購入者の駐車場利用回数がｎ回以上のとき割引販売を行うことが記載されている。）。　
　引用発明において，かかる周知の技術的事項を適用して，相違点４に係る本願発明の発明特定事項を採用することは，当業者が通常の創作能力を発揮してなし得たことにすぎない。　
（５）本願明細書の記載の限りでは，本願発明の発明特定事項によって，引用発明及び上記周知の技術的事項からみて格別顕著な効果が奏されると言うこともできない。
（６）したがって，本願発明は，引用発明及び上記周知の技術的事項に基づいて当業者が容易になし得たものである。
　　　　
６．むすび　
　以上のとおり，本願発明は，刊行物が開示する引用発明及び上記周知の技術的事項に基づいて当業者が容易に発明をすることができたものであって，特許法２９条２項の規定により特許を受けることができない。　
　したがって，その余の請求項に係る発明について検討するまでもなく，本願は，拒絶されるべきものである。　
　よって，結論のとおり審決する。